(57)【要約】【課題】本願発明の目的は、底部コイルとともによりコーナーコイル全体を同様に冷却することができる炊飯器を提供すること。【解決手段】内鍋、前記内鍋を支持する内ケース、前記内ケースの下方に設けられるコイル台、前記内ケースと前記コイル台との間で前記内ケースの底部及び湾曲部に対向して設けられるワークコイル及び冷却ファンを有する炊飯器本体と、前記炊飯器本体に対し開閉自在な蓋体とを有する炊飯器であって、前記コイル台は、外周部が湾曲した皿形状で、前記冷却ファンに対向する側の外周部に開口部を有し、前記冷却ファンの冷却風は分流され、その一部は前記開口部から前記内ケースと前記コイル台との間を通り、前記コイル台の外周部で前記内ケースの湾曲部に沿って誘導される構成。【選択図】図１
2010240329.tif 000002
【特許請求の範囲】
【請求項１】
内鍋、前記内鍋を支持する内ケース、前記内ケースの下方に設けられるコイル台、前記内ケースと前記コイル台との間で前記内ケースの底部及び湾曲部に対向して設けられるワークコイル及び冷却ファンを有する炊飯器本体と、前記炊飯器本体に対し開閉自在な蓋体とを有する炊飯器であって、
前記コイル台は、外周部が湾曲した皿形状で、前記冷却ファンに対向する側の外周部に開口部を有し、
前記冷却ファンの冷却風は分流され、その一部は前記開口部から前記内ケースと前記コイル台との間を通り、前記コイル台の外周部で前記内ケースの湾曲部に沿って誘導されることを特徴とする炊飯器。
【請求項２】
前記コイル台の上方に、前記内ケースを隙間を有して取り囲む環状の遮蔽板を更に有し、前記コイル台の外周部で前記内ケースの湾曲部に沿って誘導される冷却風は、前記内ケースと前記遮蔽板との間を通ることを特徴とする請求項１に記載の炊飯器。
【請求項３】
前記遮蔽板の上方に、前記内ケースを取り囲む環状の断熱材を更に有し、前記内ケースと前記遮蔽板との間を通る冷却風は、前記断熱材に当たり方向を変えることを特徴とする請求項２に記載の炊飯器。
【請求項４】
前記断熱材は、前記遮蔽板で支持されることを特徴とする請求項３に記載の炊飯器。
【発明の詳細な説明】
【技術分野】
【０００１】
本願発明は、炊飯器に関し、特に、ワークコイルを有効に冷却する冷却構造に関するものである。
【背景技術】
【０００２】
従来、炊飯器としては、金属製の内鍋を用い、該内鍋を内ケース（保護枠）内に収納し、内ケースの下部に設けられ内鍋に電磁誘導を発生させる電磁誘導コイルにより内鍋を発熱させ、炊飯量に適した最適な炊飯を行うものが知られている。
【０００３】
また、ご飯の炊き上がりをより良好ならしめるために、内鍋として、非金属材料からなる内鍋（例えば、土鍋、セラミック鍋あるいは炭鍋）を用い、内鍋の底部および底部近傍に誘導発熱体を設け、該誘導発熱体を電磁誘導コイルから発生する磁界により発熱させて内鍋を加熱ものも知られている。
【０００４】
ところで、内鍋に金属鍋を用いたものでも炊飯器本体内の温度が上がるため冷却ファンによる冷却は必要となる。ところが、土鍋を用いる炊飯器では、土鍋の熱伝導の悪さから炊飯器本体内により熱が籠もり易くなり、炊飯器本体内に熱が籠もると部品の温度が上昇し、炊飯時、特におこげ選択時に必要な十分な電力をかけることが出来ない場合が生じる。いずれにしても冷却ファンで部品等をいかに効率よく冷却するかは喫緊の問題である。また、冷却風で内ケースの上方まで冷却すると、かえって内鍋の上方の温度が低下し、内鍋の内側に露が発生し、その露でご飯が白ボケする問題が新たに生じる。
【０００５】
本出願人は、加熱手段である底部コイル及びコーナーコイルからなるワークコイルの冷却に関するものを提案している。
【０００６】
その冷却技術の要部を図６に示す。図に示すものは冷却風が流れるコイル台１の平面図である。炊飯器は誘導加熱式のもので、図示しない内ケースの底部に対向する箇所に底部コイルを、内ケースの底部から側部を繋ぐ湾曲部に対向する箇所にコーナーコイルをそれぞれ配置し、図に示すコイル台１を内ケースに取り付けることにより、底部コイル及びコーナーコイルをコイル台１に立設する複数のリブ２と内ケースに立設する図示しないリブとの間で挟持する。
【０００７】
また、コイル台１には、冷却ファンからの冷却風をガイドする円弧状の壁体３、４、５が外周端より内側にほぼ同心状に立設され、更に壁体３と壁体４との間の開口に対向してコイル台１の外周端に他の壁体６が立設されている。なお、７はコイル台に一体のフェライトコア収納部、８はコイル台１と内ケースとをビスで連結するためのビス孔である。
【０００８】
壁体３と壁体５との間の開口から矢印（イ）で示すように図示しない冷却ファンからの冷却風がコイル台１と内ケースの間の内部空間に導入され、該空間に配置される底部コイルを冷却する。
【０００９】
次いで、矢印（ロ）で示すように冷却風は、壁体３と壁体４との間の開口より前記内部空間の外に排出される。内部空間の外に排出された冷却風は、壁体６に衝突し、向きを変え矢印（ハ）で示すように上方に誘導されたり、或いは矢印（ニ）、（ホ）で示すように左右方向に誘導され、主として矢印（ハ）で示すように上動する冷却風によりコーナーコイルが冷却される（特許文献１参照）。
【先行技術文献】
【特許文献】
【００１０】
【特許文献１】特開２００７−３２５８６８号公報
【発明の概要】
【発明が解決しようとする課題】
【００１１】
しかしながら、上記特許文献１のものは、外周端の壁体６で冷却風を上動させ、コーナーコイルを冷却するが、構成上、冷却されるコーナーコイルはどうしても壁体６の上方のものに限られる。また、矢印（ニ）、（ホ）で示すように左右方向に流れる冷却風は、その一部は上方のコーナーコイルに向かうものもあるが、その多くは図４に示すような炊飯器の底部材の後方側に設けられる排気口から排気されるというように、コーナーコイルを冷却する冷却風の量は必然的に少なくなる。このように、上記特許文献１のものは、コーナーコイルに対する冷却が必ずしも十分とはいえない。更に、冷却風はほぼ直角に向きを変えるため、壁体６の上方にコーナーコイルを配置する必要があるというように、設計の自由度が狭まるという問題を有している。
【００１２】
本願発明の目的は、底部コイルとともによりコーナーコイル全体をほぼ同様に冷却することができる炊飯器を提供することである。
【課題を解決するための手段】
【００１３】
上記目的を達成するため、本願発明は以下の構成を採用する。
【００１４】
請求項１に係る発明では、内鍋、前記内鍋を支持する内ケース、前記内ケースの下方に設けられるコイル台、前記内ケースと前記コイル台との間で前記内ケースの底部及び湾曲部に対向して設けられるワークコイル及び冷却ファンを有する炊飯器本体と、前記炊飯器本体に対し開閉自在な蓋体とを有する炊飯器であって、前記コイル台は、外周部が湾曲した皿形状で、前記冷却ファンに対向する側の外周部に開口部を有し、前記冷却ファンの冷却風は分流され、その一部は前記開口部から前記内ケースと前記コイル台との間を通り、前記コイル台の外周部で前記内ケースの湾曲部に沿って誘導される構成を特徴とする。
【００１５】
請求項２に係る発明では、更に、前記コイル台の上方に、前記内ケースを隙間を有して取り囲む環状の遮蔽板を更に有し、前記コイル台の外周部で前記内ケースの湾曲部に沿って誘導される冷却風は、前記内ケースと前記遮蔽板との間を通る構成を特徴とする。
【００１６】
請求項３に係る発明では、更に、前記遮蔽板の上方に、前記内ケースを取り囲む環状の断熱材を更に有し、前記内ケースと前記遮蔽板との間を通る冷却風は、前記断熱材に当たり方向を変える構成を特徴とする。
【００１７】
請求項４に係る発明では、更に、前記断熱材は、前記遮蔽板で支持される構成を特徴とする。
【発明の効果】
【００１８】
請求項１に係る発明では、コイル台を外周部が湾曲した皿形状とし、冷却ファンに対向する側の外周部に湾曲部を削除した開口部を形成し、分流される冷却風の一部を前記開口部から内ケースとコイル台との間に誘導し底部コイルを冷却し、その後底部コイルを冷却したほとんどの冷却風をコイル台の湾曲した外周部（湾曲部）で内ケースの湾曲部に沿って上動させることにより、底部コイルを冷却したより多くの冷却風をコーナーコイルを冷却するために利用することができるとともに、後方のコーナーコイルは勿論のこと左右側のコーナーコイルも含め広い範囲のコーナーコイルを冷却することができる。また、冷却風は、コーナーコイルに対し下方から上方に向かってコーナーコイルに沿うように流れるため、コーナーコイルを配置するための設計の自由度を高めることができる。
【００１９】
請求項２に係る発明では、コイル台の上方に、内ケースを隙間を有して取り囲む環状の遮蔽板を設け、コイル台の外周部で内ケースの湾曲部に沿って誘導される冷却風を、内ケースと遮蔽板との間を通るようにすることにより、請求項１に係る発明の効果に加え、コーナーコイルに沿って流れる風の分散を防止することができ、その結果、コーナーコイルをより十分に冷却することができる。
【００２０】
請求項３に係る発明では、遮蔽板の上方に、内ケースを取り囲む（隙間なし）環状の断熱材を設け、内ケースと遮蔽板との間を通る冷却風を、断熱材に当てて方向を変える。その結果、冷却風は排気口に近づく方向に変流されるため、請求項２に係る発明の効果に加え、内ケース上方の断熱材による断熱効果の低下を防止することができる。また、風の流れは、断熱材の下端部に沿って内ケース外方に流れ、その後排気口方向に向かうというように炊飯器本体内での冷却風の流れが良好になり、その結果、冷却効率を向上することができる。
【００２１】
請求項４に係る発明では、断熱材を遮蔽板で支持することにより、断熱体の支持を安定させることができる。なお、この場合、炊飯器の後方側では遮蔽板は断熱材を支持していない、即ち、断熱材と遮蔽板との間には、冷却風の出口となる隙間が設けられている。このような形態にすることにより、排気口への冷却風の流れをより良好にすることができる。
【図面の簡単な説明】
【００２２】
【図１】本願発明の炊飯器の全体断面図
【図２】本願発明のコイル台を斜め上方からみた斜視図
【図３】本願発明の内ケースを斜め下方からみた斜視図
【図４】本願発明の底部材を下方からみた図
【図５】従来の内ケースを斜め下方からみた斜視図
【図６】従来のコイル台を上からみた図
【実施例】
【００２３】
図１は炊飯器の全体断面図を示し、図２はコイル台を斜め上方からみた斜視図を示し、図３は内ケースを斜め下方からみた斜視図を示し、図４底部材を下方からみた図を示す。なお、炊飯器の表示パネル側（図１の左側）を前方側、ヒンジ機構側（図１の右側）を後方側とし、前後方向側に直交する側（図１の紙面に直交する側）を左右側とする。
【００２４】
炊飯器Ｓは、図１に示すように大別して、内部に内鍋である土鍋５０を収納可能な炊飯器本体４０と、該炊飯器本体４０の上部開口を開閉自在な蓋体２０とからなる。
【００２５】
蓋体２０は、合成樹脂製の部材であり、上面を形成する上板２１と、下面を形成する下板２２を有する。そして、上板２１と下板２２とは、それぞれの周端部が当接する形態で形成されている。
【００２６】
蓋体２０の中央部には、調圧部材２３が着脱自在に設けられる。この調圧部材２３は、蒸気通路２４、蒸気弁２５及び蒸気口２６を有し、炊飯時、土鍋５０内の過剰な蒸気を蒸気口２６から外部に放出する。
【００２７】
前記下板２２の下方には、内蓋２７が着脱自在に取り付けられる。この内蓋２７には、後記の肩部材４３に取り付けられる肩ヒータ４７からの熱を受け、ふきこぼれや露付きを防止したり等する。また、この内蓋２７の外周縁には、シールパッキン２８が狭持され、蓋体２０の閉蓋時、前記土鍋５０の上縁部に当接し、土鍋５０内の熱の逃げを防止している。
【００２８】
蓋体２０の後方側には、ヒンジ機構３０が設けられる。ヒンジ機構３０は、肩部材４３に取り付けられるヒンジピン３１と、該ヒンジピン３１に嵌合され、その一端を肩部材４３に支持し、その他端を蓋体２０に支持するばね３２とを有し、炊飯器Ｓの前方側上部に設けられる蓋ロック部材３３を押圧するとばね３２の力により蓋体２０は後方側に開放する。
【００２９】
炊飯器本体４０は、外壁を形成する外ケース４１、該外ケース４１内にあり内壁を形成する保護枠でもある内ケース４２、それら内外ケース４１、４２の上端部を形成する肩部材４３、及び炊飯器Ｓの底部を形成する底部材４４からなる。
【００３０】
前記外ケース４１は、ステンレス等の金属製で上下開口の円筒状部材であり、炊飯器Ｓの胴部を形成する。前記肩部材４３は、樹脂製、例えばポリプロピレン（ＰＰ）等からなり、炊飯器本体４０の上部の肩部を形成する部材であり、その後方側にはヒンジ機構３０及び取手４５が設けられる。
【００３１】
炊飯器本体４０の内部に設けられる前記内ケース４２は、上方が開口される容器状の樹脂製部材であり、その上端部には、肩部材４３との間で断面略矩形状で平面視環状の空間４６が形成され、その空間４６内には両端が繋がっていない略環状の肩ヒータ４７が設けられる。そして、内ケース４２の内部には、非金属製内容器である焼成セラミックスやガラスなどからなる陶磁器製の土鍋５０が収納される。土鍋５０の底部には、後記する底部コイル５５及びコーナーコイル５６に対向する箇所には例えば銀ペースト等の金属製の誘導発熱体が貼設され、底部コイル５５及びコーナーコイル５６により誘起される渦電流によって発熱する。
【００３２】
また、内ケース４２の底部内面にはドーナツ状のセラミックプレート５１が設けられ、下方への熱の逃げを防止している。内ケース４２の中央部には中央口４２ｄ（図３）が設けられており、該中央口４２ｄと、セラミックプレート５１の中央の穴を貫通する形態でセンターセンサ５２が設けられ、そのセンターセンサ５２の先端は土鍋５０の底部に当接し、土鍋５０の温度を検知する。
【００３３】
前記内ケース４２は、略垂直な側部４２ａと、略水平な底部４２ｂと、側部４２ａと底部４２ｂとの間の湾曲部４２ｃを有し、前記側部４２ａの外周面には保温ヒータ５３及び断熱材５４が設けられる。断熱材５４は、保温ヒータ５３を覆い、側部４２ａの外周面にほぼ隙間なく設けられ、且つ前記湾曲部４２ｃの近傍まで延設される厚みを有する環状の部材であり、内ケース４２の側部４２ａから外方への熱の逃げを防止するとともに、後記するようにその下端部で冷却風の流れを排気口４４ｂに近づく方向に変える。
【００３４】
内ケース４２の底部４２ｂ及び湾曲部４２ｃの外方には、底部コイル５５及びコーナーコイル５６からなるワークコイルが設けられる。そして、土鍋５０を内ケース４２内にセットし、炊飯用のスイッチを押すと、センターセンサ５２がオンし、底部コイル５５及びコーナーコイル５６が通電し、渦電流に起因したジュール熱により土鍋５０が加熱され、飯米等の内容物の炊飯が行われる。
【００３５】
図３に示すように、内ケース４２の底部４２ｂ及び湾曲部４２ｃの外面には、複数個のケース底部リブ５７及びケース側部リブ５８、更には複数個、この例では４個のビス取付ボス５９が設けられており、底部コイル５５及びコーナーコイル５６は、後記するコイル台６５が図示しないビスにより内ケース４２に取り付けられるとコイル台６５に設けられる台底部リブ６６ｂ及び台側部リブ７２との間で挟持され支持される。
【００３６】
炊飯器本体４０の前方上部には、各種スイッチを有する表示パネル６０が設けられ、表示パネル６０上の各種スイッチを操作することによりユーザーが望む炊飯等が実行される。また、炊飯器本体４０内には、ＩＧＢＴ等の発熱素子を冷却する冷却フィン６１ａ、並びに該冷却フィン６１ａ等に冷却風を送る冷却ファン６１が設けられ、炊飯器本体４０内を含め必要箇所を冷却する。
【００３７】
前記冷却ファン６１は水平に配置されており上方に向かって冷却風を吐出しており、該冷却ファン６１の略中央には、制御基板６２を支持する支持部材６３が立設され、更に該支持部材６３の下方には後方側（内ケース４２側）に延びる断面（図１に直交する断面）略矩形状の導風ダクト６４が設けられており、冷却ファン６１の冷却風は、該支持部材６３により制御基板６２に沿った上方の流れ（矢印（２）方向）と、導風ダクト６４に沿った水平方向で内ケース４２方向（矢印（３）方向）に向かう流れとに分流される。
【００３８】
前記内ケース４２の周りに内ケース４２との間に隙間を有して環状の遮蔽板４８が設けられる。この遮蔽板４８は、断熱材５４の下方で、且つコイル台６５の上方に位置し、少なくともコーナーコイル５６を包囲しており、ワークコイルの電磁波或いはノイズを遮蔽する部材である。なお、前記断熱材５４の下端は、その多くの部分が遮蔽板４８の上端に当接し支持されており、断熱材５４の下方への移動を防止している。なお、後記するように排気口４４ｂが底部材４４の後方側に設けられるため、少なくとも後方側の遮蔽板４８の上端部と断熱材５４の下端部との間には冷却風が通るための隙間４８ａが設けられる。そして、図１に示すように内ケース４２と遮蔽板４８との間を通り、断熱材５４の下端部に衝突する冷却風を隙間４８ａから排気口４４ｂに近づく方向（後方側）に変える。
【００３９】
底部材４４には、図４に示すようにその前方側であって前記冷却ファン６１に対向する箇所に吸気口４４ａが設けられるとともに、この後方側に後方側の広い範囲に亘って排気口４４ｂが設けられており、冷却ファン６１による冷却風を吸気口４４ａより導入し、制御基板６２及び底部コイル５５、コーナーコイル５６等を冷却し、排気口４４ｂより排出される。また、底部材４４には、４個のビス貫通口４４ｃが設けられる。
【００４０】
符号６５はコイル台であり、その斜視図を図２に示す。コイル台６５は、底部６６、湾曲部６７及びフェライトコア収納部６８を有する樹脂製の皿状（フェライトコア収納部６８を除いた形状）部材である。
【００４１】
前記底部６６は、その中央にセンターセンサ取付部６９を有し、その内面の外周側に複数個の補強リブ６６ａを有し、補強リブ６６ａの領域に４個のビス貫通口７０を有し、センターセンサ取付部６９と補強リブ６６ａとの間に補強リブ６６ａより上方に位置する複数個の台底部リブ６６ｂを有する略水平状の部分である。前記４個のビス貫通口７０には、図示しないビスが図２の紙面と反対側から挿入され、内ケース４２に設けられる４個のビス取付ボス５９のビス穴に螺合される。その結果、コイル台６５は内ケース４２に一体に連結される。
【００４２】
前記湾曲部６７は、底部６６の外周部に相当する部分であり、内ケース４２の湾曲部４２ｃと略同形の円弧状（必ずしも同形でなくてもよいが、同形がベストである。）として形成されており、冷却風を内ケース４２の湾曲部４２ｃに沿った流れにする。
【００４３】
前記フェライトコア収納部６８は、底部６６から湾曲部６７にかけての部分と、その部分から上方に円弧状に突き出た部分とからなり、略等間隔に４個設けられる。このフェライトコア収納部６８には磁束を強めるためのフェライトコアが挿入される。このフェライトコアは、例えば酸化鉄を主原料とし、高透磁率の材料を焼結したものであり、ワークコイルの磁束を増幅させる。
【００４４】
このフェライトコア収納部６８の上方内面には、コーナーコイル５６を挟持するための台側部リブ７２が設けられ、また、このフェライトコア収納部６８のそれぞれの側部には、底部材４４を取り付けるためのビス取付ボス７１が形成される。そして、前記底部材４４の４個のビス貫通口４４ｃには、図示しないビスが図４の紙面の上方側から挿入され、コイル台６５に設けられる４個のビス取付ボス７１のビス穴に螺合される。その結果、底部材４４はコイル台６５に一体に連結される。
【００４５】
また、コイル台６５の湾曲部６７の部分であって導風ダクト６４に対向する部分には湾曲部６７が形成されない前記底部６６と略面一の開口部６７ａ（図２に示す冷却風の入口領域Ｒ）が形成される。その結果、開口部６７ａから矢印(イ)のように底部６６に導入される冷却風は湾曲部６７により矢印(ロ)、(ハ)、(ニ)のように全ての湾曲部６７の箇所から上方へ滑らかに方向が変えられる。
【００４６】
冷却風の流れ等について説明する。炊飯器Ｓを逆さまにし、内ケース４２の底部４２ｂのケース底部リブ５７上に底部コイル５５を置き、内ケース４２の湾曲部４２ｃのケース側部リブ５８上にコーナーコイル５６を置き、更にその上にコイル台６５を置く。すると、底部コイル５５の上には台底部リブ６６ｂが位置し、コーナーコイル５６の上には台側部リブ７２が位置する。その後、コイル台６５の４個のビス貫通口７０からビスを挿入し、そのビスを内ケース４２の４個のビス取付ボス５９のビス穴に螺合し、コイル台６５を内ケース４２に一体に連結する。
【００４７】
その後、冷却ファン６１等を所定の位置に取付、底部材４４を取り付ける。底部材４４の取り付けは、４個のビス貫通口４４ｃにビスを挿入し、そのビスをコイル台６５に設けられる４個のビス取付ボス７１のビス穴に螺合し、底部材４４をコイル台６５に一体に連結する。
【００４８】
炊飯器Ｓが組み立てられると、図１に示すように底部コイル５５の上下に冷却風通路が形成される。冷却ファン６１が駆動されると、冷却風は、矢印（１）で示すように底部材４４の吸気口４４ａから導入され、支持部材６３により矢印（２）で示すように制御基板６２側と、矢印（３）で示すように導風ダクト６４側とに分流される。
【００４９】
導風ダクト６４側に分流された冷却風は、導風ダクト６４内を通り、コイル台６５の入口領域Ｒである開口部６７ａより内ケース４２とコイル台６５との間に浸入し、その間に挟持される底部コイル５５を冷却する。底部コイル５５を冷却した冷却風は、矢印（４）で示すように湾曲部６７で上方で且つ内ケース４２の湾曲部４２ｃに沿った方向に流れが誘導され、次いで、矢印（５）で示すように内ケース４２と遮蔽板４８との間の隙間４８ａを通りコーナーコイル５６を冷却する。
【００５０】
その後、冷却風は、断熱材５４の下端部に衝突してそれ以上の上動が阻止され、内ケース４２の上方部が必要以上に冷やされる弊害を防止する。断熱材５４の下端部に衝突した冷却風は、断熱材５４の下端部に沿って外方に流れ、矢印（６）で示すように遮蔽板４８の上端部と断熱材５４の下端部との間に形成される隙間４８ａを通って遮蔽板４８の外方に流れ、その後矢印（７）で示すように底部材４４の後方側に形成される排気口４４ｂより外部に排出される。即ち、断熱材５４の下端部に衝突する冷却風は、排気口４４ｂに近づく方向に流れを変えるため、排気口４４ｂからの排出がスムーズになり、その結果、冷却効率が向上する。
【００５１】
なお、図５に示すように、従来は、底部材４４を取り付けるためのビス取付ボス７１を内ケース４２の側部４２ａに取り付けていた。そのため、内ケース４２の側部４２ａの面積がビス取付ボス７１の分だけ小さくなり、その結果、保温ヒータ５３及び断熱材５４を設ける面積が小さくなって側部の保温が十分に行われないという弊害を有していた。上述したように、本願発明は、コイル台６５に底部材４４を取り付けるためのビス取付ボス７１を設け、このビス取付ボス７１を利用して底部材４４を取り付けているため、内ケース４２の側部４２ａの面積を大きくすることができ、その結果、保温ヒータ５３及び断熱材５４を広い範囲に設けることができるようになり、側部の保温を十分に行うことができるようになる。
【００５２】
本願発明は、上記実施例の構成に限定されるものではなく、発明の要旨を逸脱しない範囲において適宜設計変更可能であり、例えば内鍋は土鍋で説明したが、金属製等のものでもよい。
【符号の説明】
【００５３】
Ｓ…炊飯器                    ２０…蓋体
２１…上板                    ２２…下板
２３…調圧部材                ２４…蒸気通路
２５…蒸気弁                  ２６…蒸気口
２７…内蓋                    ２８…シールパッキン
３０…ヒンジ機構              ３１…ヒンジピン
３２…ばね                    ３３…蓋ロック部材
４０…炊飯器本体              ４１…外ケース
４２…内ケース                ４２ａ…側部
４２ｂ…底部                  ４２ｃ…湾曲部
４２ｄ…中央口                ４３…肩部材
４４…底部材                  ４４ａ…吸気口
４４ｂ…排気口                ４４ｃ…ビス貫通口
４５…取手                    ４６…空間
４７…肩ヒータ                ４８…遮蔽板
４８ａ…隙間                  ５０…土鍋
５１…セラミックプレート      ５２…センターセンサ
５３…保温ヒータ              ５４…断熱材
５５…底部コイル              ５６…コーナーコイル
５７…ケース底部リブ          ５８…ケース側部リブ
５９…ビス取付ボス            ６０…表示パネル
６１…冷却ファン              ６１ａ…冷却フィン
６２…制御基板                ６３…支持部材
６４…導風ダクト              ６５…コイル台
６６…底部                    ６６ａ…補強リブ
６６ｂ…台底部リブ            ６７…湾曲部
６７ａ…開口部                ６８…フェライトコア収納部
６９…センターセンサ取付部    ７０…ビス貫通口
７１…ビス取付ボス            ７２…台側部リブ
【図１】
2010240329.tif 000003
【図２】
2010240329.tif 000004
【図３】
2010240329.tif 000005
【図４】
2010240329.tif 000006
【図５】
2010240329.tif 000007
【図６】
2010240329.tif 000008